(57)【特許請求の範囲】
【請求項１】
エレベータの乗りかご内に設置されたリニューアル用操作盤において、
エレベータの乗りかご内に設けられた既設取付板と、
前記既設取付板に取付けられた既設ボックスと、
前記既設取付板に装着されるとともに操作部および表示部を有する操作パネルとを備え、
前記操作パネルは既設ボックスに対応する位置に配置され、前記操作パネルに、既設ボックス内に収納される小型ボックスが取付けられ、
前記既設取付板に係止部が設けられ、前記操作パネルにこの係止部に係合する係合部が設けられ、
前記既設ボックスの底面に第１開口を設けるとともに、前記小型ボックスの底面に第２開口を設け、
前記第１開口と前記第２開口に締結具を挿着したことを特徴とするリニューアル用操作盤。
【発明の詳細な説明】
【技術分野】
【０００１】
本発明は、エレベータの乗りかご内に設置されるリニューアル用操作盤に係わり、かご室内の既設の取付板に容易に取り付けることができるリニューアル用操作盤に関する。
【背景技術】
【０００２】
従来、エレベータの乗りかご内でリニューアル用操作盤を設置する場合、リニューアル操作盤を交換するために一旦天井を吊り上げたり、大がかりなリニューアル作業が必要となり、現場での負担となっていた。
【先行技術文献】
【特許文献】
【０００３】
【特許文献１】特開２００７−６２９０２号公報
【発明の概要】
【発明が解決しようとする課題】
【０００４】
上述した特許文献１には、乗りかご内の隣り合う側板間に操作パネルを取付けた例が示されているが、隣り合う側板間に操作パネルを取付ける場合、取付構造が複雑化する。
【０００５】
本発明はこのような点を考慮してなされたものであり、容易かつ簡単に交換することができるリニューアル用操作盤を提供することを目的とする。
【課題を解決するための手段】
【０００６】
本実施の形態は、エレベータの乗りかご内に設置されたリニューアル用操作盤において、エレベータの乗りかご内に設けられた既設取付板と、前記既設取付板に取付けられた既設ボックスと、前記既設取付板に装着されるとともに操作部および表示部を有する操作パネルとを備え、前記操作パネルは既設ボックスに対応する位置に配置されていることを特徴とするリニューアル用操作盤である。
【０００７】
本実施の形態は、前記操作パネルに、既設ボックス内に収納される小型ボックスが取付けられ、前記既設取付板に係止部が設けられ、前記操作パネルにこの係止部に係合する係合部が設けられ、前記既設ボックスの底面に第１開口を設けるとともに、前記小型ボックスの底面に第２開口を設け、前記第１開口と前記第２開口に締結具を挿着したことを特徴とするリニューアル用操作盤である。
【０００８】
本実施の形態は、前記既設取付板のうち既設ボックス上部に第１係止部が設けられ、前記既設取付板のうち既設ボックス下部に第２係止部が設けられ、前記操作パネルに、前記第１係止部および前記第２係止部に各々係合する第１係合部および第２係合部が設けられていることを特徴とするリニューアル用操作盤である。
【０００９】
本実施の形態は、前記操作パネルに、前記既設ボックス内面に嵌合するコ字状弾性体を設けたことを特徴とするリニューアル用操作盤である。
【００１０】
本実施の形態は、前記第１係止部はＺ形ブラケットからなり、前記第２係止部はＬ形ブラケットからなり、前記第１係合部はＺ形ブラケットからなり、前記第２係合部はＬ形ブラケットからなることを特徴とするリニューアル用操作盤である。
【００１１】
本実施の形態は、前記既設ボックスの一方の側面にヒンジ受けを設け、前記操作パネルに、前記ヒンジ受けに係合してヒンジ受けとともにヒンジ部を形成するヒンジ係合部を設け、前記操作パネルに、前記既設ボックスのうち前記一方の側面と反対側の他方側面に係合する弾性体を設けたことを特徴とするリニューアル用操作盤である。
【発明の効果】
【００１２】
以上のように本実施の形態によれば、リニューアル用操作盤を容易かつ簡単に交換することができる。
【図面の簡単な説明】
【００１３】
【図１】図１は第１の実施の形態によるリニューアル用操作盤の操作パネルと取付板を示す図。
【図２】図２（ａ）および図２（ｂ）は組立てられたリニューアル用操作盤を示す図。
【図３】図３は第２の実施の形態によるリニューアル用操作盤の操作パネルと取付板を示す図。
【図４】図４は組立てられたリニューアル用操作盤を示す図。
【図５】図５は第３の実施の形態によるリニューアル用操作盤の操作パネルと取付板を示す図。
【図６】図６は組立てられたリニューアル用操作盤を示す図。
【図７】図７は第４の実施の形態によるリニューアル用操作盤の操作パネルと取付板を示す図。
【図８】図８は組立てられたリニューアル用操作盤を示す図。
【図９】図９は第５の実施の形態によるリニューアル用操作盤の操作パネルと取付板を示す図。
【図１０】図１０は組立てられたリニューアル用操作盤を示す図。
【発明を実施するための形態】
【００１４】
＜第１の実施の形態＞
以下、図面を参照して第１の実施の形態について説明する。図１および図２は本発明によるリニューアル用操作盤の第１の実施の形態を示す図である。
【００１５】
図１および図２に示すように、リニューアル用操作盤１Ａは、エレベータの乗りかご３０内に設置されるものである。このようなリニューアル用操作盤１Ａは、乗りかご３０内の内壁に設置された既設の取付板２と、この取付板２に連結されるとともに乗りかご３０の内壁側へ引込む既設ボックス３と、取付板２に装着される操作パネル１とを備えている。
【００１６】
このうち操作パネル１は、取付板２のうち既設ボックス３に対応する位置に、この既設ボックス３を覆うように装着されている。
【００１７】
操作パネル１はリニューアル用操作パネルであって、乗りかご３０内の乗客へ向って表示する表示部１ａと、乗りかご３０内の乗客が操作可能な操作部１ｂとを有している。
【００１８】
また操作パネル１の裏面には、取付板２側の既設ボックス３内に収納される小型ボックス４が取付けられている。
【００１９】
さらに取付板２のうち既設ボックス３より上方に角穴（係止部）７が設けられ、操作パネル１にはこの角穴７に係合する弾性板状片（係合部）５が設けられている。
【００２０】
また既設ボックス３の底面３ａには丸穴（第１開口）８が設けられ、小型ボックス４の底面４ａには丸穴８に対応する位置に丸穴（第２開口）６が設けられている。
【００２１】
なお、操作パネル１には、小型ボックス４に対応する位置に開閉扉９が設けられている。
【００２２】
次にこのような構成からなる本実施の形態の作用について説明する。
【００２３】
まず既設の取付板２から既設の操作パネル１を取外す。次にリニューアル操作パネル１を準備して、既設の取付板２に装着する。
【００２４】
この場合、まずリニューアル操作パネル１の弾性板状片５を、取付板２の角穴７に係合し、小型ボックス４を既設ボックス３内に収納する。
【００２５】
次に操作パネル１の開閉扉９を開き、既設ボックス３の第１開口８に小型ボックス４の第２開口６を合わせ、この第１開口８および第２開口６内に締結ボルト１０を貫通させて締付ける。
【００２６】
このことにより、既設ボックス３の上部において弾性板状片５が角穴７に係合し、第１開口８および第２開口６を締結ボルト１０により締付けることができ、既設の取付板２にリニューアル操作パネル１を容易かつ確実に取付けることができる。このように取付板２とリニューアル操作パネル１とを組立てることにより、リニューアル操作盤が完成する。
【００２７】
＜第２の実施の形態＞
以下、図３および図４を参照して第２の実施の形態について説明する。
【００２８】
図３および図４に示す第２の実施の形態は、既設の取付板２に対するリニューアル操作パネル１の取付構造が異なるのみであり、他の構成は図１および図２に示す第１の実施の形態と略同一である。
【００２９】
図３および図４に示す第２の実施の形態において、図１および図２に示す第１の実施の形態と同一部分には同一符号を付して詳細な説明は省略する。
【００３０】
図３および図４に示すように、既設の取付板２のうち、既設ボックス３の上部に角穴（第１係止部）７が設けられ、既設ボックス３の下部に角穴（第２係止部）１２が設けられている。またリニューアル操作パネル１に、角穴７に係合する弾性板状片（第１係合部）５と、角穴１２に係合する弾性板状片（第２係合部）１１とが設けられている。
【００３１】
なお、図３および図４に示すように、リニューアル操作パネル１には小型ボックスは設けられていない。
【００３２】
次にこのような構成からなる本実施の形態の作用について説明する。
【００３３】
まず既設の取付板２から既設の操作パネル１を取外す。次にリニューアル操作パネル１を準備して、既設の取付板２に装着する。
【００３４】
この場合、リニューアル操作パネル１の弾性板状片５および弾性板状片１１を、取付板２の角穴７および角穴１２に各々係合する。
【００３５】
このことにより、既設ボックス３の上部において弾性板状片５が角穴７に係合し、既設ボックス３の下部において弾性板状片１１が角穴１２に係合する。このため、既設の取付板２にリニューアル操作パネル１を容易かつ確実に取付けることができる。このように取付板２とリニューアル操作パネル１とを組立てることにより、リニューアル操作盤が完成する。
【００３６】
＜第３の実施の形態＞
以下、図５および図６を参照して第３の実施の形態について説明する。
【００３７】
図５および図６に示す第３の実施の形態は、既設の取付板２に対するリニューアル操作パネル１の取付構造が異なるのみであり、他の構成は図１および図２に示す第１の実施の形態と略同一である。
【００３８】
図５および図６に示す第３の実施の形態において、図１および図２に示す第１の実施の形態と同一部分には同一符号を付して詳細な説明は省略する。
【００３９】
図５および図６に示すように、既設の取付板２には、既設ボックス３が設けられ、リニューアル操作パネル１の裏面には、既設ボックス３の内面に嵌合する４個のコ字状弾性体１３が縦方向に並んで設けられている。
【００４０】
なお、図５および図６に示すように、リニューアル操作パネル１には小型ボックスは設けられていない。
【００４１】
次にこのような構成からなる本実施の形態の作用について説明する。
【００４２】
まず既設の取付板２から既設の操作パネル１を取外す。次にリニューアル操作パネル１を準備して、既設の取付板２に装着する。
【００４３】
この場合、操作パネル１の裏面に設けられたコ字状弾性体１３を既設ボックス３の側面３ｂ、３ｃに嵌合させる。
【００４４】
このことにより、リニューアル操作パネル１に縦方向に並んで設けられた４個のコ字状弾性体１３を既設ボックス３の側面３ｂ、３ｃに嵌合させることができ、既設の取付板２にリニューアル操作パネル１を容易かつ確実に取付けることができる。このように取付板２とリニューアル操作パネル１とを組立てることにより、リニューアル操作盤が完成する。
【００４５】
＜第４の実施の形態＞
以下、図７および図８を参照して第４の実施の形態について説明する。
【００４６】
図７および図８に示す第４の実施の形態は、既設の取付板２に対するリニューアル操作パネル１の取付構造が異なるのみであり、他の構成は図１および図２に示す第１の実施の形態と略同一である。
【００４７】
図７および図８に示す第４の実施の形態において、図１および図２に示す第１の実施の形態と同一部分には同一符号を付して詳細な説明は省略する。
【００４８】
図７および図８に示すように、既設の取付板２のうち、既設ボックス３の上部にＺ形断面をもつＺ形ブラケット（第１係止部）１６が設けられ、既設ボックス３の下部にＬ形断面をもつＬ形ブラケット（第２係止部）１７が設けられている。またリニューアル操作パネル１に、Ｚ形ブラケット１６に係合するＺ形ブラケット（第１係合部）１４と、Ｌ形ブラケット１７に係合するＬ形ブラケット（第２係合部）１５とが設けられている。
【００４９】
なお、図７および図８に示すように、リニューアル操作パネル１には小型ボックスは設けられていない。
【００５０】
次にこのような構成からなる本実施の形態の作用について説明する。
【００５１】
まず既設の取付板２から既設の操作パネル１を取外す。次にリニューアル操作パネル１を準備して、既設の取付板２に装着する。
【００５２】
この場合、リニューアル操作パネル１のＺ形ブラケット１４を、取付板２のＺ形ブラケット１６に係合する。
【００５３】
次にリニューアル操作パネル１のＬ形ブラケット１５を取付板２のＬ形ブラケット１７に係合し、Ｌ形ブラケット１５とＬ形ブラケット１７を、締結ボルト１８で締結する。
【００５４】
次に、リニューアル操作パネル１上縁に上縁キャップ１９Ａを嵌め込み、下縁に下縁キャップ１９Ｂを嵌め込む。  このことにより、既設ボックス３の上部においてＺ形ブラケット１４がＺ形ブラケット１６に係合し、既設ボックス３の下部において、Ｌ形ブラケット１５がＬ形ブラケット１７に係合する。このため、既設の取付板２にリニューアル操作パネル１を容易かつ確実に取付けることができる。このように取付板２とリニューアル操作パネル１とを組立てることにより、リニューアル操作盤が完成する。
【００５５】
＜第５の実施の形態＞
以下、図９および図１０を参照して第５の実施の形態について説明する。
【００５６】
図９および図１０に示す第５の実施の形態は、既設の取付板２に対するリニューアル操作パネル１の取付構造が異なるのみであり、他の構成は図１および図２に示す第１の実施の形態と略同一である。
【００５７】
図９および図１０に示す第５の実施の形態において、図１および図２に示す第１の実施の形態と同一部分には同一符号を付して詳細な説明は省略する。
【００５８】
図９および図１０に示すように、既設の取付板２のうち、既設ボックス３の一方の側面３ｂにヒンジ受け２２が設けられ、リニューアル操作パネル１にヒンジ受け２２と係合して、このヒンジ受け２２とともにヒンジ部２０Ａを形成するヒンジ係合部２０が設けられている。
【００５９】
またリニューアル操作パネル１に、既設ボックスのうち、一方の側面３ｂと反対側の他方の側面３ｃに係合する弾性体２１が設けられている。
【００６０】
なお、図９および図１０に示すように、リニューアル操作パネル１には小型ボックスは設けられていない。
【００６１】
次にこのような構成からなる本実施の形態の作用について説明する。
【００６２】
まず既設の取付板２から既設の操作パネル１を取外す。次にリニューアル操作パネル１を準備して、既設の取付板２に装着する。
【００６３】
この場合、リニューアル操作パネル１のヒンジ係合部２０を取付板２のヒンジ受け２２に係合させてヒンジ部２０Ａを形成する。
【００６４】
次に操作パネル１をヒンジ部２０Ａを中心として回動させて、操作パネル１を取付板２に当接させる。このとき、リニューアル操作パネル１の弾性体２１が既設ボックス３の他方の側面３ｃに嵌合する。
【００６５】
このことにより、既設ボックス３の一方の側面３ｂにおいてヒンジ係合部２０がヒンジ受け２２に係合し、他方の側面３ｃに弾性体２１が嵌合し、これにより既設の取付板２にリニューアル操作パネル１を容易かつ確実に取付けることができる。このように取付板２とリニューアル操作パネル１とを組立てることにより、リニューアル操作盤が完成する。
【符号の説明】
【００６６】
１  操作パネル
１ａ  表示部
１ｂ  操作部
２  取付板
３  既設ボックス
４  小型ボックス
５  弾性板状片
６  開口
７  角穴
８  開口
９  開閉扉
１０  締結ボルト
１１  弾性板状片
１２  角穴
１３  コ字状弾性体
１４  Ｚ形ブラケット
１５  Ｌ形ブラケット
１６  Ｚ形ブラケット
１７  Ｌ形ブラケット
２０  ヒンジ係合部
２０Ａ  ヒンジ部
２２  ヒンジ受け
３０  乗りかご
【図１】
0005865954.tif 000002
【図２】
0005865954.tif 000003
【図３】
0005865954.tif 000004
【図４】
0005865954.tif 000005
【図５】
0005865954.tif 000006
【図６】
0005865954.tif 000007
【図７】
0005865954.tif 000008
【図８】
0005865954.tif 000009
【図９】
0005865954.tif 000010
【図１０】
0005865954.tif 000011